(57)【特許請求の範囲】
【請求項１】
水栓本体と、水栓本体から吐水するための吐水パイプとを備えており、吐水パイプは、内外二重構造の外管および内管を有しており、外管の先端部に吐水ヘッドが着脱自在に取付られており、内管の基端部が水栓本体に、その先端部が吐水ヘッドにそれぞれ通水可能に接続されており、外管は、剛性を有しており、内管は、撓性を有しており、外管の周方向の一部に、外管軸方向にのびかつ先端開放スリットが形成されており、外管の少なくとも一部に、外向き凸状屈曲部が設けられており、スリットは、屈曲部の内面側をのびており、外管の先端部に吐出ヘッドを取付けた状態で、外管の内面に内管が沿わされ、外管の屈曲部に沿って内管が屈曲させられており、外管の先端部から吐水ヘッドを取外した状態で、内管の撓みにともない、スリットを通じて、外管から内管が引出し可能である水栓。
【請求項２】
外管および内管の基端部は、外管および内管の対応する軸線周りにそれぞれ回転自在に水栓本体に支持されている請求項１に記載の水栓。
【請求項３】
スリットにカバーが被覆されており、カバーは、スリット長手方向にのびかつ相対させた縁部を有する一対のカバー半体を備えており、各カバー半体は、撓み性を有しており、各カバー半体の撓みにともない、同両縁部間を、内管が通過可能である請求項１または２に記載の水栓。
【請求項４】
外管が、その長さ方向において、スリットの無い閉鎖管部およびスリットの有る開放管部に区画されており、開放管部において、スリットを除いて、内管を取囲む部分が、内管保護用合成樹脂によって形成されている請求項１〜３のいずれか１つに記載の水栓。
【請求項５】
外管の先端部に吐水ヘッドが取付られた状態で、外管の先端部に差込解除自在に差込まれかつ内管を通した差込筒部が吐水ヘッドに設けられており、差込筒部の周壁に、差込筒部の差込解除方向の移動を規制するためのストッパが設けられており、ストッパは、差込筒部の外面に対して出入自在であり、外管の先端部内面に、出入するストッパを進退させうる凹所が形成されており、凹所に対するストッパの進退によって、ストッパが作動・解除しうるようになされている請求項１〜４のいずれか１つに記載の水栓。
【発明の詳細な説明】
【技術分野】
【０００１】
この発明は、水栓、とくに、シャワーヘッド等の先端吐水部の位置を任意に変更できるようにした水栓に関する。
【背景技術】
【０００２】
この種の水栓としては、吐水パイプがフレキシブルパイプによって構成されており、吐水パイプの先端にシャワーヘッドが取付られているものが知られている。
【０００３】
この水栓では、シャワーヘッドの重みで吐水パイプが垂れ下がることがあった。そのため、吐水パイプの付け根が金属疲労等によって破損する恐れがあった。さらに、フレキシブルパイプ露出しているため、見た目が悪かった。
【０００４】
他の水栓としては、吐水パイプが、螺旋管およびインナーチューブよりなる撓性ホースによって構成されており、吐水パイプを、Ｕ字状に屈曲させた状態で、シンク裏側等のスペースに引出可能に収納し、引出口を通じて吐水パイプを引出して使用するようにしたものが知られている。
【０００５】
この水栓では、吐水パイプの引入・引出時に、吐水パイプが引出口縁部との摩擦等によって損傷し、漏水を起こす恐れがあった。漏水を起こした場合、吐水パイプの、スペース内にある部分はメンテナンスが容易ではない。さらに、漏水によってフローリングが損害を受けると、その損害による経済的負担が大であった。
【発明の概要】
【発明が解決しようとする課題】
【０００６】
この発明の目的は、外観的に優れ、疲労、摩擦等による漏水を来す心配の無い水栓を提供することにある。
【課題を解決するための手段】
【０００７】
この発明による水栓は、水栓本体と、水栓本体から吐水するための吐水パイプとを備えており、吐水パイプは、内外二重構造の外管および内管を有しており、外管の先端部に吐水ヘッドが着脱自在に取付られており、内管の基端部が水栓本体に、その先端部が吐水ヘッドにそれぞれ通水可能に接続されており、外管は、剛性を有しており、内管は、撓性を有しており、外管の周方向の一部に、外管軸方向にのびかつ先端開放スリットが形成されており、外管の先端部から吐水ヘッドを取外した状態で、内管の撓みにともない、スリットを通じて、外管から内管が引出し可能であるものである。
【０００８】
この発明による水栓では、撓性内管の先端部が吐水ヘッドを介して剛性外管によって支持されるから、内管がその重みで垂れ下がる心配が無い。さらに、外管内の内管は、外管の内面にそう伸張状態であり、引出時には、スリットを通じて、内管の撓みによって、その半径方向に引出されるため、外管に対する内管の摩擦を可及的に低減することができ、摩擦等によって、内管が損傷して漏水することを防止できる。
【０００９】
さらに、外管の少なくとも一部に、外向き凸状屈曲部が設けられており、スリットは、屈曲部の内面側をのびていると、外管の屈曲部に内管がそわされた状態では、内管の自重による撓みを防止することができ、引出に際しては、内管の先端側から順次引出されるため、スリットから内管をスムースに引出ことができる。
【００１０】
また、外管および内管の基端部は、外管および内管の対応する軸線周りにそれぞれ回転自在に水栓本体に支持されていると、吐水ヘッドの位置を、水平面内に自在に変更することができ、便利である。
【００１２】
また、スリットにカバーが被覆されており、カバーは、スリット長手方向にのびかつ相対させた縁部を有する一対のカバー半体を備えており、各カバー半体は、撓み性を有しており、各カバー半体の撓みにともない、同両縁部間を、内管が通過可能であるから、外管内の内管は、カバーによって隠されることになり、内管を保護することができ、同時に、吐水パイプの美観を向上させることがてきる。
【００１３】
また、外管が、その長さ方向において、スリットの無い閉鎖管部およびスリットの有る開放管部に区画されており、開放管部において、スリットを除いて、内管を取囲む部分が、内管保護用合成樹脂によって形成されていると、外管に対する内管の接触による損傷を防止することができる。
【００１４】
また、外管の先端部に吐水ヘッドが取付られた状態で、外管の先端部に差込解除自在に差込まれかつ内管を通した差込筒部が吐水ヘッドに設けられており、差込筒部の周壁に、差込筒部の差込解除方向の移動を規制するためのストッパが設けられており、ストッパは、差込筒部の外面に対して出入自在であり、外管の先端部内面に、出入するストッパを進退させうる凹所が形成されており、凹所に対するストッパの進退によって、ストッパが作動・解除しうるようになされていると、外管に対する吐水ヘッドの着脱を容易に行うことがき、同時に、外管に吐水ヘッドが取付られた状態で、吐水ヘッドの不用意な脱落を防止することができる。
【発明の効果】
【００１５】
この発明によれば、外観的に優れ、疲労、摩擦等による漏水を来す心配の無い水栓が提される。
【図面の簡単な説明】
【００１６】
【図１】この発明による水栓の破砕断面を含む側面図である。
【図２】同水栓の水栓本体部周辺を示す垂直縦断面図である。
【図３】同水栓の外管基端部を示す斜視図である。
【図４】同水栓の外管先端部および吐水ヘッドを示す分解斜視図である。
【図５】図４に示す部分の垂直縦断面図である。
【図６】図５のV−V線にそう水平縦断面図である。
【図７】他の実施例による水栓を示す図２相当の垂直縦断面図である。
【図８】さらに他の実施例による水栓を示す図１相当の側面図である。
【図９】図８に示す水栓の拡大横断面図である。
【図１０】図８に示す水栓の変形例を示す図９相当の拡大横断面図である。
【図１１】図８に示す水栓の他の変形例を示す図９相当の拡大横断面図である。
【図１２】同水栓の外管の変形例を示す斜視図である。
【図１３】図１２に示す外管の拡大横断面図である。
【図１４】図１３に示す外管の変形例を示す拡大横断面図である。
【図１５】同水栓の外管の他の変形例を示す斜視図である。
【図１６】同水栓の外管のさらなる他の変形例を示す斜視図である。
【図１７】同水栓の外管に対する吐水ヘッドの取付構造の変形例を示す図４相当の分解斜視図である。
【図１８】同取付構造の他の変形例を示す図４相当の分解斜視図である。
【図１９】同取付構造の要部拡大断面図である。
【図２０】同取付構造のさらなる他の変形例を示す図４相当の分解斜視図である。
【図２１】外管に対する吐水ヘッドのアタッチメントを示す斜視図である。
【図２２】同アタッチメントの変形例を示す斜視図である。
【発明を実施するための形態】
【００１７】
図１を参照すると、水栓は、湯水混合栓であって、水栓本体11と、水栓本体11から吐水するための吐水パイプ12とを備えている。
【００１８】
水栓本体11は、図２に詳細に示すように、互いに並行して上向きにのびている冷水ポート21および湯水ポート22を有している。冷水ポート21および湯水ポート22の上端は、ミキシングカートリッジ23に接続されている。ミキシングカートリッジ23は、操作ハンドル24を有しかつ混合水チャンバ25に連通させられている。混合水チャンバ25の頂壁には給水口26が設けられている。給水口26を取り囲んで、混合水チャンバ25の頂壁には上方突出垂直筒状ソケット27が設けられている。ソケット27の周壁外側には抜止ボルト28が貫通状にねじ込まれている。
【００１９】
ソケット27には垂直筒状ロータリコネクタ31の下部がはめ入れられている。コネクタ31外面の下端寄りの部分には、抜止ボルト28の先端部をはめ入れた環状ガイド溝32がコネクタ31の軸線周りの回転を自在とするように形成されている。コネクタ31内面の下端寄りの部分には縮径部33が設けられている。縮径部33を挟んでその上側に上部段付孔34が、その下側に下部段付孔35がそれぞれ形成されている。
【００２０】
吐水パイプ12は、内外二重構造の外管41および内管42と、外管41の先端部に着脱自在に取付られかつ内管42の先端部に通水可能に接続されている吐水ヘッド43とよりなる。
【００２１】
外管41は、横断面方形状鋼管を略逆Ｌ字状に屈曲したもので、上向き凸のアーチ状屈曲部41Wを有しかつ内壁41a、外壁41bおよび左右一対の側壁41cよりなる。
【００２２】
外管41の基端部において、ソケット27上端面および外管41基端面がスリップワッシャ44を介して重ね合わされるように外管41の基端部がコネクタ31の上方突出部にはめ被せられている。この状態で、外管41の内外両側壁41a、41bがコネクタ31の上方突出部を内外から挟んでいる。外管41外壁41bおよびコネクタ31の重ねあわされた部分は、止めボルト45によって固定されている。
【００２３】
図１に加えて、図４を参照すると、外管41内壁41aの先端から基端近くにかけて、内壁41aのほぼ全体が除去され、これにより、外管41に先端開放スリット51が形成されている。スリット51の左右両縁部開放端には一対のガイド52が左右対向突出状に形成されている。外壁41b内面の先端近くには一対の円形状窪み53が形成されている。これらのガイド52および窪み53を含む外管41の先端部が嵌合凹部54を形成している。
【００２４】
内管42は、螺旋鋼管製撓みホース61と、撓みホース61内に挿入されて、基端部および先端部を撓みホース61外にそれぞれ突出させている弾性材製通水ホース62とよりなる。
【００２５】
撓みホース61の基端部は、上部段付孔34内に相対回転自在に挿入されている。通水ホース62の基端部には基端パイプ63がかしめ止められている。基端パイプ63外面の長さの中程には鍔64が設けられている。この鍔64が下部段付孔35内に挿入されて、混合水チャンバ25頂壁の頂面および下部段付孔35底面で挟まれ、これにより、通水ホース62の基端部の抜け止めが果たされている。この状態で、基端パイプ63の、鍔64より上方部分が縮径部33に通され、その下方部分が給水口26に通されている。
【００２６】
図５および図６を参照すると、通水ホース62の先端部には先端パイプ65がかしめ止められている。先端パイプ65は、基端パイプ63と同じ構造のもので、外面に鍔66を有している。
【００２７】
吐水ヘッド43は、下向き吐水口71を有するヘッド本体72と、ヘッド本体72から一側方に突出状に設けられかつ嵌合凹部54に出入自在に差し込まれている略直方体状差込ブロック73とよりなる。差込ブロック73は、嵌合凹部54内面と合致させられた周面を有し、嵌合凹部54に対応する嵌合凸部を形成している。
【００２８】
ヘッド本体72には、吐水口軸線と直交する方向にのびかつ吐水口71に連通させられた連通ポート74が形成されている。連通ポート74の開口縁部には段付孔75が形成されている。
【００２９】
差込ブロック73には、連通ポート74と一直線上に連通させられたホース孔81が形成されている。ホース孔81の長さの中程には縮径部82が設けられている。縮径部82よりも置くであって、ホース孔81の基部に連通させられるように下方開放部83が形成されている。
【００３０】
ホース孔81の縮径部82より先端側には、撓みホース61の先端部が相対回転自在に挿入されている。先端パイプ65の鍔66より先端側が連通ポート74に挿入され、その鍔66は、段付孔75内に挿入されている。下方開放部83には略逆Ｕ字状固定具84が挿入されている。固定具84の平行線状部によって、段付孔75とは反対側から鍔66が押さえられ、これにより、通水ホース62先端部の抜け止めが果たされている。
【００３１】
差込ブロック73の頂面には、両窪み53にはめ入れられた一対のストッパ91が備えられている。両ストッパ91は、連通ポート74を挟んでその両側を互いに平行にのびた一対の上下貫通状ばね孔92の上端開口縁部に進退自在に保持されかつ同ばね孔92に挿入された圧縮コイルばね93によって進出側に付勢されている。
【００３２】
差込ブロック73の両側面および底面の交差する部分にそって、一対のガイド溝94がそれぞれ形成されている。各ガイド溝94は、外管41の対応する側のガイド52と外管41軸方向にスライド自在にはめ合わされている。
【００３３】
水栓の使用に際し、外管41に吐出ヘッド43を取付けた状態で、外管41の内面に内管42がそわされ、外管41の屈曲部41Aにそって内管42もアーチ状に屈曲させられている。この内管42のアーチ状屈曲部により、内管42の保形性が保たれる。ガイド52およびガイド溝94のはめ合いによって、外管41から吐出ヘッド43が不用意に取外される心配は、無い。操作ハンドル24によって、冷水、湯水またはこれらの混合水が吐出口71から吐出され、また、吐出停止される。外管41の押動によって、外管41とともにコネクタ31が回転させられ、コネクタ31とともに内管42が外管41と同時に回転させられる。
【００３４】
吐出ヘッド43を手前側に引っ張り、嵌合凹部54から差込ブロック73を引出せば、外管41から吐出ヘッド43が取外される。この場合、窪み53からストッパ91が抜き出され、ガイド52にそってガイド溝94がスライドさせられ、吐出ヘッド43がスムースに移動させられる。外管41から吐出ヘッド43が取外された状態で、吐出ヘッド43をさらに手前に引っ張ると、吐出ヘッド43の移動にともない、外管41から内管42がその撓性によってスムースに引出される。逆の手順によって、外管41内に内管42が収納される。
【００３５】
そして、以下に、上記水栓の様々なバリエーションを説明する。以下の説明において、上記した部分と対応するカ所には、同一の符号を付し、重複説明は、省略するものとする。
【００３６】
図７には、一般的なJIS規格水栓の水栓本体111が示されている。この水栓本体111のソケット111A外面には雄ねじ112が形成されている。ソケット111A内面の段113の上には環状Uパッキン114が載置されている。このUパッキン114は、JIS規格によれば、パッキン押さえによって押さえられることになるが、この例では、筒状ホース受金具115によって押さえられている。ホース受金具115には、通水ホース62の基端パイプ63が回転自在にはめ入れられている。ホース受金具115の外面上端部には、水栓本体111上端面で受けられたフランジ116が設けられている。フランジ116上には、図２に示すコネクタ31とは別構造のロータリコネクタ117が載置されている。コネクタ117の内面下部には縮径部118が設けられている。コネクタ117内面の縮径部118上方に撓みホース61の基端部が回転自在にはめ入れられている。通水ホース62の基端部は、縮径部118を介してホース受金具115まで達している。コネクタ117外面下端部にはフランジ119が設けられている。ホース受金具115およびコネクタ117のフランジ116、119同士を重ね合わせた状態で、これを、雄ねじ112にねじはめられた押さえナット121によって緩く締付けている。外管41は、コネクタ117に止ねじ122によって固定されている。
【００３７】
図８および図９を参照すると、外管41に、カバーベース131と、カバーベース131と一体化されかつスリット51に被覆されている目隠し用カバー132とが備えられている。
【００３８】
カバーベース131およびカバー132は、軟質合成樹脂によって、全体として、屈曲状角筒体をなして、スリット51を除いて、外管41の内面に止ねじ133によって密着状に固定されている。
【００３９】
カバーベース131は、外管41の外壁41bおよび両側壁41cに対応して、横断面コ字状をなしている。
【００４０】
カバー132は、スリット51を含めて、外管41の内壁41aに対応しかつカバーベース131の両開口縁部に先端縁部同士を相対させるように連なる一対の平板状カバー半体132Aよりなる。
【００４１】
外管41に吐水ヘッド43が取付られた状態では、内管42は、カバー132に隠されていて、内管42を外から見ることはできない。
【００４２】
外管41から吐水ヘッド43を取外し、スリット51から内管42を引出す場合、内管42が両カバー半体132Aの先端対向縁部を押動し、各カバー半体132Aの撓みによって、その押動部分が拡げられて、その拡げられた部分を内管42が通過させられる。
【００４３】
図１０に、カバー132の別の態様が示されている。この態様のカバー132では、各カバー半体132Aの基部に、これと一体的に横断面略U字状挟持部134が設けられている。各カバー半体132Aの挟持部134は、スリット51の長手方向開口縁部であって、外管41の対応する側の各側壁41cの自由縁部に挟み止められている。
【００４４】
図１１は、カバー132のさらなる別の態様を示すものである。図１１では、上記外管41の両側壁41cが基部を残して除去され、外壁41bのみが残されている。外壁41bの内面に、これによって、上記カバーベース131の外面の全体が当てられている。カバーベース131の内面には、これにそって、帯板状補強板135が当てられている。カバーベース131および補強板134は、止ねじ136によって、外壁41bに固定されている。
【００４５】
つぎに、外管41のバリエーションを説明する。
【００４６】
図１２に、２ピース構造の外管41が示されている。すなわち、外管41は、上記外管41と同一の材料の鋼管製外管本体41Aおよび合成樹脂製スリット形成体41Bよりなる。  外管本体41Aおよびスリット形成体41Bは、全体として、その長さ方向において、スリット51の無い閉鎖管部Pcおよびスリット51の有る開放管部Poに区画されている。
【００４７】
閉鎖管部Pcは、上記外管41の相当部分と実質的に同一構造のものである。開放管部Poは、その半径方向において、外面部材141および内面部材142に分割されている。
【００４８】
図１３に詳細に示すように、外面部材141は、横断面コ字状をなすものであって、その占有領域において、上記外管41の外壁41b全体に相当する外面底壁141aと、これの両縁部に隣接して、上記外管41の両側壁41cの一部に相当する一対の外面側壁141bとよりなる。外面部材141の全体が凹状嵌合部143を形成している。
【００４９】
内面部材142は、横断面コ字状に成形され、同外面底壁141aに内側から重ね合わされた内面底壁142aと、上記外管41の両側壁41cから、外面側壁141bを除いた残りの側壁41cに相当しかつ外面側壁141bと面一となされた一対の内面側壁142bとよりなる。内面底壁142aおよびこれに隣接する内面側壁142bの一部によって、凸状嵌合部144が構成されている。凹状嵌合部143および凸状嵌合部144がはめ合わされた状態で、止ねじ145によって、外面部材141および内面部材142が相互に固定されている。両内面側壁142bの開口は、スリット51を形成している。
【００５０】
図１４に示すように、凹状嵌合部143および凸状嵌合部144に相互に係止された抜止め突起146、147が形成されていると、止ねじ145による固定は不要となる。
【００５１】
図１５は、３ピース構造の外管41を示すものである。この３ピース構造の外管41は、上記２ピース構造の外管41と同様に、外管本体41Aおよびスリット形成体41Bよりなる。
【００５２】
外管本体41Aは、さらに、筒状本体41Aaおよび板状本体41Abに２分割されている。筒状本体41Aaは、長尺角パイプ材を所要長さにカットしたものである。板状本体41Abは、平坦状帯板を屈曲形成したものである。筒状本体41Aaおよび板状本体41Abは、止めねじ151によって相互に固定されている。
【００５３】
外管本体41Aを２分割構造とすることによって、製造コストに低減設計の自由度が図れる。角パイプに代えて、丸パイプを採用しても良く、平坦状帯板を丸棒としてもよい。
【００５４】
一方、この３ピース構造の外管41を、長さ方向から観察すると、２ピース構造の外管41と同様に、スリット51の無い閉鎖管部Pcおよびスリット51の有る開放管部Poに区画することができる。スリット形成体41Bは、２ピース構造の外管のものに類似する。
【００５５】
図１６では、４ピース構造の外管41が示されている。この４ピース構造の外管41においても、上記２ピース構造および３ピース構造の外管41と同様に、外管本体41Aおよびスリット形成体41Bよりなる構成が採用されている。さらに、外管41は、閉鎖管部Pcおよび開放管部Poに区画されている。
【００５６】
外管本体41Aは、大径パイプ状本体41Aaおよび小径パイプ状本体41Abよりなる。大径パイプ状本体41Aaは、横断面略円形状アルミニウム押出型材よりなる。大径パイプ状本体41Aaの外面の一部には長手方向突条161が設けられている。突条161の先端部には横断面半円形状抜止突起162が設けられている。小径パイプ状本体41Abは、横断面円形状鋼管よりなる。小径パイプ状本体41Abの周壁の一部には長手方向条溝163が形成されている。
【００５７】
大径パイプ状本体41Aaおよび小径パイプ状本体41Abの連結は、双方を長手方向に相対移動させることによって、抜止突起162を小径パイプ状本体41Ab内に収容され、突条161が条溝163に通されることによる。
【００５８】
スリット形成体41Bは、長尺部材41Baおよび短尺部材41Bbよりなる。長尺部材41Baは、横断面略Ｃ字状軟質合成樹脂成型品よりなる。長尺部材41Baの頂点には、大径パイプ状本体41Aaの突条161および抜止突起162の横断面と同一横断面をもつ突条164および抜止突起165が設けられている。短尺部材41Bbは、硬質合成樹脂または亜鉛ダイキャスト成型品よりなる。短尺部材41Bbは、長尺部材41Baの横断面と同一の横断面をもつもので、突条166および抜止突起167を有している。
【００５９】
小径パイプ状本体41Abに、長尺部材41Baおよび短尺部材41Bbを連結するための手順は、大径パイプ状本体41Aaおよび小径パイプ状本体41Abを連結する場合に準じる。
【００６０】
スリット形成体41Bを、長尺部材41Baおよび短尺部材41Bbに２分割することによる利点は、外管41に対する吐水ヘッド43の取付構造を変更する場合、長尺部材41Baはそのままにしておいて、短尺部材41Bbだけを変更すれば、その変更に対応しうる。
【００６１】
つづいて、吐水ヘッド43のバリエーションを説明する。
【００６２】
図１７に示す吐水ヘッド43では、図４に示す吐水ヘッド43の差込ブロック73に代えて、外管41先端部にはめ入れ可能とする横断面方形状差込筒201が設けられている。差込筒201の頂壁から、これに続くヘッド本体72の一部にかけて、略Ｕ字状スリット202が形成されている。スリット202によって囲まれた部分には、片持方形状弾性変形部203が形成されている。弾性変形部203の先端部には横断面略三角形状ストッパ204が設けられている。弾性変形部203の基端部には、複数の並列状滑止用突条205が設けられている。
【００６３】
一方、外管41先端部内面には、図４に示すくぼみ53に代わり、ストッパ204を係合させるための凹所206形成されている。
【００６４】
外管41から吐水ヘッド43を取外した状態では、ストッパ204の先端部分は、差込筒201頂面から突出させられている。外管41先端部に差込筒201をはめ入れると、外管41内面によってストッパ204が押下げられ、ストッパ204が凹所206に達すると、ストッパ204の変形が解放されて、ストッパ204が凹所206に係合される。
【００６５】
逆に、外管41から吐水ヘッド43を取外す場合、突条205の部分を押すと、弾性変形部203の先端部分がストッパ204とともに下げられ、ストッパ204および凹所206の係合が解除される。
【００６６】
図１８に示す吐水ヘッド43の差込筒211の頂壁には、一対のスリット212が形成されている。両スリット212は、差込筒211の基端から先端にかけて、互いに平行にのびかつ差込筒211先端に開放されている。両スリット212の内側には帯状弾性変形部213が設けられている。弾性変形部213の先端にはストッパ214が設けられている。各スリット212の外側にはこれと平行に一対の逃げ溝215が形成されている。
【００６７】
一方、外筒41先端部の頂壁には開口部221が形成されている。開口部221は、正対視方形状のもので、外筒先端側縁部には係合突起222を有している。開口部221にはストッパ解除用スライドスイッチ223が被覆されている。スライドスイッチ223は、開口部221の周縁部上面に摺接させられた平板状のものである。スライドスイッチ223下面には、開口部221の縦方向縁部を摺動自在に抱きかかえた一対のガイド224が垂下状に設けられている。各ガイド224およびこれと相対する開口部221縁部間には圧縮コイルバネ225が介在させられている。両ガイド224間にはストッパ解除用押動カム226が下方突出状に設けられている。押動カム226は、傾斜状押動面227を有している。
【００６８】
外管41から吐水ヘッド43を取外した状態では、スライドスイッチ223は、バネ225によって、外管41先端部から遠去かる方向に付勢されている。
【００６９】
外管41先端部に差込筒211をはめ入れると、外管41内面によってストッパ214が押下げられ、ストッパ214が係合突起221を乗り越えると、これに、ストッパ214が係合させられる（図１９ａ）。
【００７０】
外管41から吐水ヘッド43を取外す場合、スライドスイッチ223を、バネ225に抗して、外管41先端部側にスライドさせる。そうすると、押動カム226の押動面227によって、ストッパ214が押下げられ、係合突起221に対するストッパ214の係合が解除される（図１９ｂ）。このときに、スライドスイッチ223をスライドさせる場合、ガイド224は逃げ溝215に入り込みことになり、双方の干渉が避けられる。
【００７１】
図２０に示す吐水ヘッド43の差込筒231の両側壁内面には一対の磁石232が固定されている。一方、外管41先端部内面には、磁石232を吸引させるための鉄板233が固定されている。
【００７２】
最後に、吐水ヘッド43のアタッチメントを説明する。以下に説明するアタッチメントを利用すれば、吐水ヘッド43の取付構造のバリエーションの自由度が増加する。
【００７３】
図２１に示すアタッチメント241は、合成樹脂によって一体成形されたもので、外管41の先端部内面に合致させられた外面を有しかつ横断面欠円形状差込口242を有している。アタッチメント241の外面には互いに平行にのびた一対の抜止め243が設けられている。外管41の先端部頂壁には、各抜止め243を挿入させた一対の切込み244が形成されている。差込口には丸筒状差込筒（図示しない）が差込み可能である。
【００７４】
図２２では、別のアタッチメント251が示されている。このアタッチメント251は、その全体が外管41の先端部にはめ入れられかつ止めネジ152によって固定されている。
【産業上の利用可能性】
【００７５】
この発明による水栓は、シャワーヘッド等の先端吐水部の位置を任意に変更することを達成するのに適している。
【符号の説明】
【００７６】
11  水栓本体
12  吐水パイプ
41  外管
42  内管
43  吐水ヘッド
51  スリット
【図１】
0005604113.tif 000002
【図２】
0005604113.tif 000003
【図３】
0005604113.tif 000004
【図４】
0005604113.tif 000005
【図５】
0005604113.tif 000006
【図６】
0005604113.tif 000007
【図７】
0005604113.tif 000008
【図８】
0005604113.tif 000009
【図９】
0005604113.tif 000010
【図１０】
0005604113.tif 000011
【図１１】
0005604113.tif 000012
【図１２】
0005604113.tif 000013
【図１３】
0005604113.tif 000014
【図１４】
0005604113.tif 000015
【図１５】
0005604113.tif 000016
【図１６】
0005604113.tif 000017
【図１７】
0005604113.tif 000018
【図１８】
0005604113.tif 000019
【図１９】
0005604113.tif 000020
【図２０】
0005604113.tif 000021
【図２１】
0005604113.tif 000022
【図２２】
0005604113.tif 000023